(57)【要約】【課題】  本発明の課題は、意匠性を確保しつつ、品番数を増やすことなく左右共用できるカウンター支持部を提供することである。また、そのカウンター支持部材と、カウンター手前の幕板部の連結構造も簡略化させた非常に施工性に優れたカウンターを提供することである。  【解決手段】  本発明ではブラケットと、前記ブラケット近傍に配置する合板と、前記ブラケットと前記合板とを連結する連結金具と、からなるカウンター支持部を提供する。また洗面ボウルと、前記洗面ボウルへ吐水する水栓金具とを備えるカウンターにおいて、請求項１記載のカウンター支持部をカウンター本体の両端下部に備えられることを特徴とするカウンター。【選択図】  図１
2005110950.tif 000002
【特許請求の範囲】
【請求項１】
ブラケットと、前記ブラケット近傍に配置する合板と、前記ブラケットと前記合板とを連結する連結金具と、からなるカウンター支持部。
【請求項２】
洗面ボウルと、前記洗面ボウルへ吐水する水栓金具とを備えるカウンターにおいて、請求項１記載のカウンター支持部をカウンター本体の両端下部に備えられることを特徴とするカウンター。
【請求項３】
前記カウンターの幕板部が、幕板合板で形成され前記幕板合板にアルミ板を合わせた形状であることを特徴とする請求項２記載のカウンター。
【請求項４】
前記ブラケットの前方後面と、前記幕板の後面とを連結する幕板取り付け部を備えることを特徴とする請求項２乃至３いずれかに記載のカウンター。
【請求項５】
前記ブラケットの角部に保護カバーを備え、かつ前記保護カバーが前記ブラケットの水抜き穴を介して取り付けられる水抜き穴取り付け部を備えることを特徴とする請求項２乃至４いずれかに記載のカウンター。
【発明の詳細な説明】
【技術分野】
【０００１】
本発明は、カウンター本体を支持する意匠性を備えたカウンター支持部と、そのカウンター支持部を用いたカウンターに関する発明である。 
【背景技術】
【０００２】
従来よりカウンター本体を支持するカウンターの支持構造としては、さまざまなものがあった。（例えば、特許文献１参照。）。 
このような場合、支持部自体をカウンター本体で隠蔽するようにし、意匠性に優れたものではなかった。また隠すためにその形状にも一定の制約があった。
【０００３】
【特許文献１】実開昭６２−４０９８５号公報
【発明の開示】
【発明が解決しようとする課題】
【０００４】
本発明は、上記問題を解決するためになされたもので、本発明の課題は、意匠性を確保しつつ、品番数を増やすことなく左右共用できるカウンター支持部、およびそれを用いたカウンターを提供することである。
【課題を解決するための手段】
【０００５】
上記目的を達成するために請求項１記載の発明のよれば、ブラケットと、前記ブラケット近傍に配置する合板と、前記ブラケットと前記合板とを連結する連結金具と、からなるカウンター支持部である。よって、カウンターへ取り付けた際の意匠性が向上する。また合板のブラケットに対する取り付け向きを変えるだけで、カウンター本体への取り付け箇所に対応できるので、品番を増やすことがなく都合がよい。
【０００６】
また、請求項２記載の発明のよれば、洗面ボウルと、前記洗面ボウルへ吐水する水栓金具とを備えるカウンターにおいて、
請求項１記載のカウンター支持部をカウンター本体の両端下部に備えられることを特徴とするカウンターである。よって、合板をカウンター本体の内方に配置させるためカウンターの意匠性が良好となる。
【０００７】
また、請求項３記載の発明のよれば、前記カウンターの幕板部が、幕板合板で形成され前記幕板合板にアルミ板を合わせた形状であることを特徴とする請求項２記載のカウンターである。よって、アルミ板が使用者側となることにより意匠性が飛躍的に高まる。
【０００８】
また、請求項４記載の発明のよれば、前記ブラケットの前方後面と、前記幕板の後面とを連結する幕板取り付け部を備えることを特徴とする請求項２乃至３のいずれかに記載のカウンターである。
よって、幕板を用いた場合も幕板部分に幕板取り付け部が隠蔽するため、意匠性がそこなわれることがない。また幕板部が左右２箇所ある場合にはカウンター本体の両端と中央部の合計３箇所にブラケットを配置することで施工でき、施工の簡素化にもつながる。
【０００９】
また、請求項５記載の発明のよれば、前記ブラケットの角部に保護カバーを備え、かつ前記保護カバーが前記ブラケットの水抜き穴を介して取り付けられる水抜き穴取り付け部を備えることを特徴とする請求項２乃至４いずれかに記載のカウンターである。
よって、新たに機構を付与することなくカバーを取り付けることができ、施工性が向上する。
【発明の効果】
【００１０】
本発明によれば、品番数を増やすことなく、意匠性が格段に向上するという効果がある。
【発明を実施するための最良の形態】
【００１１】
以下に本発明を実施するための最良の形態を添付図面に基づいて説明する。
【００１２】
本発明の第一実施例を図１から図５に示す。図１は、第一実施例のカウンターの概観斜視図、図２は、第一実施例のカウンター支持部の下方から見た斜視図、図３は、第一実施例のカウンターを透視した状態での幕板取付部の拡大上面図である。図４は第一実施例のカウンター支持部とカウンター本体の連結状態を説明する説明図である。また図５は幕板部の構成を示す説明図である。
【００１３】
図２に示すように本発明のカウンター支持部１２は、四角形枠状のブラケット１と合板３と、それらを結合する連結金具２とからなっている。
よって、合板３の取り付け位置を左右変えることにより、カウンター本体の左右どちらにも取り付け可能となる。したがって品番数を増やすことなく、左右取り付け対応可能なカウンター支持部を提供できる。さらに合板をカウンターの内方に取り付けることで、外部から合板が見えずらい構造となるため、意匠性も向上する。
【００１４】
次に図１に、図２に示すカウンター支持部１２を用いて構成された第１実施例のカウンターを示す。
このカウンターは、図示しない壁に所定距離をあけて2つのブラケット１を固定する。次に図３に示すように、固定されたブラケット１の前方後面１５と幕板の後面１６を固定金具６、タッピングネジ６ｂ、小ネジ６ａからなる幕板取り付け部１４で結合する。
その後、事前に洗面ボウル１０を取り付けてあるカウンター本体５を設置し、設置後水栓１１を備えるようになっている。なおここでは図４に示すようにカウンター本体５を設置する前に合板３に接着剤を塗布するようになっている。
また本実施例ではあらかじめカウンター支持部１２を構成させ、カウンターの施工を実施しているが、ブラケット１のみ単独で壁固定し、その後合板を接着したカウンター本体５を設置させる構成としてもよい。
【００１５】
本実施例では、合板をカウンターの内方側に配置させることにより、カウンターとの連結させ、かつ意匠性をよくしている。
【００１６】
また本実施例での幕板部は、図５に示すようにアルミ板４ａを幕板合板４ｂにコの字形状で貼りあわせて幕板部４を構成する事により、施工現場での加工性が向上し、アルミ４ａを表面に使用する事により意匠が良い。なお本実施例ではアルミ板の厚みは２．５ｍｍである。
【００１７】
本発明の第２実施例を図６、図７に示す。図６は、第二実施例のカウンターの概観斜視図、図７は、中央部に用いられる幕板取付部の拡大上面図である。第１実施例と共通の構成要素については同符号を付与し説明を省略する。
【００１８】
図６に示す様に、図示しない後方の壁に、カウンター支持部であるブラケット１を固定し、第１実施例と同様の手順にてカウンターを取り付ける。
第２実施例では、図７に示すカウンター支持部に特徴がある。すなわち、第2実施例にて中央に使われている幕板取り付け部１４はブラケット１を跨ぐ形で左右両方の幕板４と、ブラケット１を固定する構造となっている。
よってブラケットに無用に穴あけ加工せずに済み便利である。また施工時間の短縮にもつながる。
【００１９】
本発明の第３実施例を図８、図９に示す。図８は、保護カバー取付部の拡大斜視図である。また図９は保護カバー取付部の拡大断面図である。
【００２０】
図８に示す様に、ブラケット１にメッキを施す際にあけられた水抜き穴１８を利用して、安全性を考慮した、軟質材で成形された保護カバー８を取り付ける。取り付け方として本実施例では、保護カバー８をブラケット水抜き穴１８に押し込む方法を採用している。
【００２１】
ブラケット１にあけられた水抜き穴を、保護カバー８の取付穴とすることで、意匠の見栄えが良い。
【図面の簡単な説明】
【００２２】
【図１】本発明の第一実施例のカウンター概観斜視図である。
【図２】本発明のカウンター支持部の下方から見た斜視図である。
【図３】本発明の幕板取付部を示す拡大上面図である。
【図４】本発明のカウンターとカウンター支持部の接合状態を示すの説明図である。
【図５】本発明の幕板部の構成を示す説明図である。
【図６】本発明の第二実施例のカウンター概観斜視図である。
【図７】本発明の中央部に用いられる幕板取付部を示す拡大上面図である。
【図８】本発明の保護カバー取付部の拡大斜視図である。
【図９】本発明の保護カバー取付部の拡大断面図である。
【符号の説明】
【００２３】
１…ブラケット
２…連結金具
２ａ…小ネジ
２ｂ…タッピンネジ
３…合板
４…幕板部
４ａ…アルミ板
４ｂ…幕板合板
５…カウンター本体
６…固定金具
６ａ…小ネジ
６ｂ…タッピンネジ
７…固定金具
８…保護カバー
９…接着剤
１０…洗面ボウル
１１…水栓金具
１２…カウンター支持部
１３…カウンター下部
１４…幕板取り付け部
１５…ブラケット前方後面
１６…幕板後面
１７…水抜き穴取付部
１８…ブラケット水抜き穴
１９…ブラケット角部
【図１】
2005110950.tif 000003
【図２】
2005110950.tif 000004
【図３】
2005110950.tif 000005
【図４】
2005110950.tif 000006
【図５】
2005110950.tif 000007
【図６】
2005110950.tif 000008
【図７】
2005110950.tif 000009
【図８】
2005110950.tif 000010
【図９】
2005110950.tif 000011